(57)【特許請求の範囲】
【請求項１】
動物の胴体部の左右の前足前後に亘る胴体部まわりに、止め具と前開き部から前足の付け根対応部にいたるスリット状の左右足逃がし部とを有した前開き形態、または、前足を付け根対応部まで通す穴状の左右足逃がし部を有した被り形態で、着せ付ける胴衣体を備え、この胴衣体の動物の背中との対応域の少なくとも表生地の裏側に、前記対応域の中央部から少なくともほぼ対称な左右方向成分を持って配した一条または複数条の連結用のアンカー紐材を設け、このアンカー紐材の中央部に連結具を接続して表生地外に突出させ、このアンカー紐材は少なくともその両端側と連結具の突出位置両側とを胴衣体に止着され、少なくとも一部がアンカー紐材と重なるように配置されてアンカー紐材と共に胴衣体に止着された、アンカー紐材より前後方向に幅広な心材が設けられたことを特徴とする動物の胴衣。
【請求項２】
連結具は、連結用のアンカー紐材に左右に起伏できるように接続されて表生地から外に突出した基部環と、この基部環の突出部に回転できるように連結されて引き紐類を連結する連結環とからなる請求項１に記載の動物の胴衣。
【請求項３】
前開き形態の胴衣体の止め具は、面ファスナー、スライドファスナー、尾錠、ボタン、ホックの少なくとも１つである請求項１、２のいずれか１項に記載の動物の胴衣。
【請求項４】
連結用のアンカー紐材は、胴衣体の表生地と裏生地との間に位置している請求項１〜３のいずれか１項に記載の動物の胴衣。
【請求項５】
胴衣体の足逃がし部は、そこに至っているアンカー紐材の端部との止着を兼ねた縫製にてパイピングが施されている請求項１〜４のいずれか１項に記載の動物の胴衣。
【請求項６】
胴衣体は、アンカー紐材の、胴衣体への連結具突出位置両側止着部との左右近傍位置に、基端部を重ねて胴衣体に止着し、他端部が胴衣体外に延びて動物の首に対応してその前部に回り込む左右の首輪材対を有し、これら首輪材対は、一方に長さ調節具、双方の先端を着脱できるように連結する連結具を有している請求項１〜５のいずれか１項に記載の動物の胴衣。
【請求項７】
胴衣体は、少なくともＸ型にクロスして左右対称に配された２つのアンカー紐材を有し、この２つのアンカー紐材の動物の首に対応してその前部に回り込む左右の首輪材対を有し、これら首輪材対は、一方に長さ調節具、双方の先端を着脱できるように連結する連結具を有している請求項１〜６のいずれか１項に記載の動物の胴衣。
【請求項８】
前記心材は、アンカー紐材の長手方向に沿って胴衣体の少なくとも足逃がしスリットまたは足通し穴の対向し合う端縁部間に延びる左右方向心材、またはおよび、アンカー紐材の中央部とともに一端が胴衣体に止着され他端が胴衣体の前端縁に達してそこに止着された前後方向心材である請求項１〜７のいずれか１項に記載の動物の胴衣。
【発明の詳細な説明】
【技術分野】
【０００１】
本発明は、主として小型犬に適した動物用の胴衣に関し、詳しくは、動物の胴体部の前足前後の胴体部周りに着せ付ける動物用の胴衣に関するものである。
【背景技術】
【０００２】
このような動物用の胴衣は、下記の特許文献１などで既に知られている。特許文献１は、胴衣の襟まわりに首輪を付属させて、係留索条を含む引き紐類を連結するようにした胴衣を開示している。また、首輪は、一重の首まわり外側に設けたベルト通しに通して付属させたタイプと、胴衣の首まわりで表側に折り返して形成した袋部に通して付属させたタイプとを開示している。これらにより、胴衣と首輪とを個別に取扱い使用する場合の手間が半減し、首輪の紛失も防ぎやすいとしている。
【先行技術文献】
【特許文献】
【０００３】
【特許文献１】実開昭５９−１７５３６０号公報
【発明の概要】
【発明が解決しようとする課題】
【０００４】
しかし、特許文献１に記載の首輪は、胴衣に付属させるのに動物の首部に位置させているので、近時普及している胴輪に比べ、連結した引き紐類による係留や引き回し時に動物に苦痛や違和感を与えやすい。
【０００５】
本発明は、そのような問題に鑑み、動物の胴まわりへの着せ付けによる広域面でのフィット性を利用して、動物に苦痛や違和感を与えずに動きを制限し、また引き回せる動物用の胴衣を提供することにある。
【課題を解決するための手段】
【０００６】
上記のような課題を解決するために、本発明の動物用の胴衣は、動物の胴体部の左右の前足前後に亘る胴体部まわりに、止め具と前開き部から前足の付け根対応部にいたるスリット状の左右足逃がし部とを有した前開き形態、または、前足を付け根対応部まで通す穴状の左右足逃がし部を有した被り状態で、着せ付ける胴衣体を備え、この胴衣体の動物の背中との対応域の少なくとも表生地の裏側に、前記対応域の中央部から少なくともほぼ対象な左右方向成分を持って配した一条または複数条の連結用のアンカー紐材を設け、このアンカー紐材の中央部に連結具を接続して表生地外に突出させ、このアンカー紐材は少なくともその両端側と連結具の突出位置両側とを胴衣体に止着され、少なくとも一部がアンカー紐材と重なるように配置されてアンカー紐材と共に胴衣体に止着された、アンカー紐材より前後方向に幅広な心材が設けられたことを特徴としている。
【０００７】
このような構成の胴衣は、胴衣体の、前開き形態とスリット状の左右足逃がし部とを利用して、または、穴状の左右足逃がし部を利用して、動物の前足の前後に亘る胴部まわりに着せ付け、前開き部は止め具で止めて閉じることで、従来通りに胴衣体を動物に着せ付けられる。着せ付け状態の胴衣体は、その表生地外に突出している連結具を着せ付けられる動物の背中の中央部付近に位置させて、連結具に引き紐類を連結して動物を引き回したり、係留したりするのに供することができる。引き紐類を緊張させて動物の動きを規制するときの負荷や引き回し力は、前記中央位置の連結具から動物の背中との対応域の中央部から少なくともほぼ対称な左右方向成分を持って配した一条または複数条のアンカー紐材の中央部から両側止着部に及び、さらに、アンカー紐材から胴衣体のアンカー紐材左右均等配置域を経て動物の腹部対応側に伝達されるので、広い面域の胴まわりから動物の負担になりにくくしながら、優しくかつ確実に動物に働かせられる。特に、前開き部が打合せ形態であれば打合せ二重部による緩衝作用も得られる。
【０００８】
上記構成において、さらに、連結具は、連結用のアンカー紐材に左右に起伏できるように接続されて表地から外に突出した基部環と、この基部環の突出部に回転できるように連結されて引き紐類を連結する連結環とからなるものとすることができる。
【０００９】
このような構成の動物用の胴衣は、上記に加え、さらに、連結具の基部環の左右への起伏によって連結具に対する引き紐類の横方向への振れに自在に対応でき、連結環の基部環に対する回転によって引き紐類の連結具まわりの旋回に自在に対応できる。
【００１０】
上記構成において、さらに、前開き形態の胴衣体の止め具は、面ファスナー、スライドファスナー、尾錠、ボタン、ホックの少なくとも１つとすることができ、いずれの場合も、１対の打合せ部の打合せ代を調整して接続できるようにするのが好適である。
【００１１】
上記のような構成において、さらに、連結用のアンカー紐材は、ベルト材であるものとすることができる。
【００１２】
このような構成の動物用の胴衣は、上記に加え、さらに、連結用のアンカー紐材がベルト材であることにより、胴衣体に沿いやすく馴染みやすいので、外観上目立たないし、動物に異物感を与えない。また、ベルト幅によって、連結環からの負荷の受け止め域を、動物の前後方向にもベルト幅に応じて拡張させられる。
【００１３】
上部構成において、さらに、連結用のアンカー紐材は、胴衣体の表生地と裏生地との間に位置しているものとすることができる。
【００１４】
このような構成の動物用の胴衣は、上記に加え、さらに、連結用のアンカー紐材が胴衣体の表生地と裏生地との間に位置していることによって、表側に加え、裏側からも外観されないし、動物への局部的な直接触を避けられる。
【００１５】
上記構成において、さらに、胴衣体の足逃がし部は、そこに至っているアンカー紐材の端部との止着を兼ねた縫製にてパイピングが施されたものとすることができる。
【００１６】
このような構成の動物用の胴衣は、上記に加え、さらに、胴衣体の足逃がし部の周縁を縁処理して装飾、保護するパイピングを、アンカー紐材の端部の胴衣体への止着を兼ねた縫製にて施し、アンカー紐材両端部の胴衣体周縁部への止着強度を高められる。
【００１７】
上記構成において、さらに、胴衣体は、アンカー紐材の、胴衣体への連結具突出位置両側止着部との左右近傍位置に、基端部を重ねて胴衣体に止着し、他端側が胴衣体外に延びて動物の首に対応してその前部に回り込む左右の首輪材対を有し、これら首輪材対は、一方に長さ調節具、双方の先端を着脱できるように連結する連結具を有したものとすることができる。
【００１８】
このような構成の動物用の胴衣は、上記に加え、さらに、動物への着せ付け状態で、アンカー紐材に端部を重ねて胴衣体に止着した首輪材対を、動物の首に対応してその前部に回り込ませて、双方の先端を連結具で連結して動物の首に対し若干緩めにして通常時は胴粒に負担をかけなくするなどした状態の首輪風装飾とすることができるし、胴衣体の前開き部の止めが万が一外れても、首輪材対はアンカー紐材と繋がって動物の首まわりに閉ループをなしているので、引き紐類が動物から外れるのを防止することができる。また、首輪材対は途中の長さ調節具により長さ調節することで、動物の首への緩め度を万一の場合の首輪機能を確保する上で調整することができる。
【００１９】
上記構成において、さらに、胴衣体は、少なくともＸ型にクロスして左右対称に配されてクロス部に連結具が接続された２つのアンカー紐材を有し、この２つのアンカー紐材の動物の首に対応してその前部に回り込む左右の首輪材対を有し、これら首輪材対は、一方に長さ調節具、双方の先端を着脱できるように連結する連結具を有したものとすることができる。
【００２０】
このような構成の動物用の胴衣は、上記に加え、さらに、動物への着せ付け状態で、Ｘ型に配された２つのアンカー紐材から動物の首に対応する側に延びた左右の首輪材対を、動物の首に対応してその前部に回り込ませ、双方の先端を連結具で連結して動物の首に対し若干緩めにして通常時は動物に負担をかけなくするなどした状態の首輪風装飾とすることができるし、胴衣体の前開き部の止めが万一外れても、首輪材対はアンカー紐材と繋がって動物の首まわりに閉ループをなしているので、引き紐類が動物から外れるのを防止することができる。また、首輪材対は途中の長さ調節具により長さ調節することで、動物の首への緩め度を万一の場合の首輪機能を確保する上で調整することができる。
【００２１】
上記構成において、前記心材は、アンカー紐材の長手方向に沿って胴衣体の少なくとも足逃がしスリットまたは足通し穴の対向し合う端縁部間に延びる左右方向心材、またはおよび、アンカー紐材の中央部とともに一端が胴衣体に止着され他端が胴衣体の前端縁に達してそこに止着された前後方向心材とすることができる。
【００２２】
このような構成の動物用の胴衣は、上記に加え、さらに、左右方向心材によって、連結具から連結側アンカー紐材が受ける負荷や引き回し力を左右方向心材と分担し合い、かつ胴衣体のより広域に、より無理なく伝達でき、前後方向心材によって、連結具から胴衣体の後方側に及ぶことの多い引き紐類との間の負荷や引き回し力によって、胴衣体がアンカー紐材と前端縁との間で伸びて疲労したり、動物への動き規制が甘くなるのを防止することができる。
【００２３】
本発明のそれ以上の目的及び特徴は、以下の詳細な説明および図面の記載によって明らかになる。本発明の各特徴はそれ単独で、あるいは可能な限り種々な組合せで複合して採用することができる。
【発明の効果】
【００２４】
本発明の動物用の胴衣によれば、胴衣体の、特にスリット状または穴状の左右足逃がし部を利用した前開き形態、被り形態での着せ付けにより、胴衣体の表生地から突出している連結具を動物の背中の中央部付近に位置させて、引き紐類の連結に供するので、連結した引き紐類による動物の動きを規制するときの負荷や引き回し力が、左右方向に対称な１つまたは複数のアンカー紐材の中央部に接続した連結具から、アンカー紐材を介しその両端側止着部までの胴衣体の広域に分散させて働くようにするので動物の負担になりにくく、毛傷みが生じ難い。
【図面の簡単な説明】
【００２５】
【図１】本発明の実施の形態に係る動物用の胴衣の１つの例を使用状態で示す斜視図である。
【図２】図１の胴衣の表側から見た展開図である。
【図３】図１の胴衣の裏側から見た展開図である。
【図４】図１の胴衣の連結具まわりを示す表面図である。
【図５】図４の断面図である。
【図６】本発明の実施の形態に係る動物用の胴衣の別の例を示す表面図である。
【図７】図６の断面図である。
【図８】本発明の実施の形態に係る動物用の胴衣の他の例を示す一部を省略した平面図である。
【図９】本発明の実施の形態に係る動物用の胴衣の今１つの例を示すアンカー紐材付近から後部を省略した平面図である。
【図１０】本発明の実施の形態に係る動物用の胴衣の窓の縁処理の変形例を示す連結具付近の平面図である。
【図１１】図１０の断面図である。
【図１２】本発明の実施の形態に係る動物用の胴衣のさらに今１つの例を示す平面図である。
【発明を実施するための形態】
【００２６】
以下、本発明の開包の形態につき図に示す幾つかの例に基づいて説明し、本発明の理解に供する。なお、以下の説明は本発明の具体例であって、特許請求の範囲の記載事項を限定するものではない。また、各例の説明において、共通する部材および部分には同一の符号を付し、重複する図示および説明は極力省略する。図１〜図５の例、図６、図７の例、図８の例、は、それぞれ、本発明の実施の形態に係る動物用の胴衣１００の代表的な具体例として示している。これら胴衣１００はいずれも、動物の胴体部１の前足２、３前後の胴体部１まわりに着せ付けるものであって、前開き部の一例として、腹部対応側で打ち合わせ状態となる１対の打ち合わせ部５、６を有し、動物の前足２、３を避けて着せ付けるための前足２、３の外側付け根部に対応する位置から打ち合わせ部５、６の端縁５ａ、６ａに至る、言い換えると、前開き部から前足２、３の付け根部まで延びるスリット状、切込み状、より具体的には前開き部から背中側に向け幅が狭くなるように切り込んだ切り込み状の、左右足逃がし部７、または動物の前足２、３を付け根対応部まで通す仮想線で示し、図８に示す穴状の足逃がし部８が形成されたワンピースタイプとした胴衣体９と、胴衣体９の打ち合わせ部５、６どうしを打ち合わせ状態に止める止め具１１と、胴衣体９の少なくとも表生地１２の裏側にて、両端が前期スリット状または穴状の足逃がし部７または８の左右に対向し合う両縁部７ａ、７ａ間または８ａ、８ａ間に配置され、中央部同上着した連結具１３が表生地１２外にそれに形成した窓１２ａを通じ突出され、少なくとも両端側、具体的には前記両周縁７ａ、７ａ部または８ａ、８ａ部と、連結具１３の突出部両側、具体的には前記窓１２ａまわりとで、胴衣体９に縫製などして止着１４された連結用のアンカー紐材１５と、を備えた基本構成を有している。
【００２７】
これにより、各胴衣１００は図１に示すように、動物の背中側から腹部側に、スリット状の足逃がし部７または穴状の足逃がし部８にて動物の前足２、３を避けて胴衣体９をまわし、１対の打ち合わせ部５、６を打ち合わせてそれらを止め具１１により打ち合わせ状態に止めることで、従来通りに胴衣体９を動物に着せ付けられる。この着せ付け状態の胴衣体９は、その表生地１２外に左右方向の中央部に突出している連結具１３を着せ付けられた動物の背中の前足２、３の付け根間中央部に位置させて、連結具１３に引き紐類を連結し動物を引き回したり、係留したりするのに供する。従って、連結具１３に引き紐類１６を連結して動物を引き回したり、係留して、引き紐類１６を緊張させて動物の動きを規制するときの負荷や引き回し力は、動物の首部を避けた負担になりにくい位置に局部集中することなく胴回り全体に優しくかつ確実に働かせられる。具体的には、引き紐類１６を緊張させて動物の動きを規制するときの負荷や引き回し力は、前記中央位置の連結具１３からアンカー紐材１５の左右全長に、アンカー紐材１５の左右全長から胴衣体９における動物の背中の前足２、３の付け根間背中側全幅部から動物の腹部側の二重になっている打ち合わせ部５、６に伝達して、広い面域の胴まわりから動物の負担になりにくい位置に二重部による緩衝作用も得て、優しくかつ確実に働かせられる。
【００２８】
言い換えると、連結具１３に及ぶ負荷や引き回し力は連結用のアンカー紐材１５に受けられ、アンカー紐材１５は中央部に及ぶ連結具１３からの負荷を、適時連結具１３が突出する窓１２ａまわりおよびスリット状または穴状の足逃がし部７または８の対向し合う周縁７ａ、７ａ部または８ａ、８ａ部での胴衣体９への止着１４によるアンカー効果にて、胴衣体９の前記対向し合う周縁７ａ、７ａ部または８ａ、８ａ部間背中域の左右方向の双方に分散させて、動物の前足２、３の付け根間背中域側から働かせて、胴衣体の幅広い動物腹部との対応側に伝達し動物の動きを規制することができる。
【００２９】
このように、胴衣体９を動物の前足２、３を避けながら背中側から腹部側にまわしての着せ付けにより、胴衣体９の表生地１２から突出している連結具１３を、動物の背中の前足２、３の付け根間背中域の左右方向中央部に位置させて引き紐類１６を連結させるので、連結した引き紐類１６による動物の引き回し中や係留中に動物の動きを規制するときの負荷や引き回し力が動物の負担になりにくい。また、負荷や引き回し力は連結具１３を介しアンカー紐材１５に受けられて、これが止着された胴衣体９の前記対向し合う周縁７ａ、７ａ部または８ａ、８ａ部間背中域の左右方向全幅に分散して働き、胴衣体９の幅広い動物腹部との対応側に伝達し動物の動きを広い面域にて規制するので、動物の負担が少なくなり、また毛傷みが生じ難い。
【００３０】
連結具１３は、図５、図７に矢印Ａで示すようにアンカー紐材１５に左右に起伏できるように止着されて表生地１２から外に突出した基部環１３ａと、この基部環１３ａの突出端部に図５、図７に矢印Ｂで示すように回転できるように連結されて引き紐類１６を連結する連結環１３ｂとからなっている。これにより、胴衣１００は、連結具１３の基部環１３ａの左右への起伏によって連結具１３に対する引き紐類１６の横方向への振れに自在に対応でき、連結環１３の基部環に対する回転によって引き紐類１６の連結具１３まわりの旋回に自在に対応できる。従って、引き紐類１６に対して動物がどの方向に引き動こうとしても、引き紐類１６と連結具１３との間に拗れが生じて引き紐類１６に捩じれ疲労による寿命低下を招くことはない。
【００３１】
止め具１１は、図に示すようなパイル面１１ａとフック面１１ｂとからなる面ファスナーとすれば、輪郭部の単独または胴衣体９と共の縫製によって簡単に付帯させられるし、止め状態時の面方向の滑り阻止力が高く打ち合わせ部５、６の打ち合わせ状態の保持が確実な上、打ち合わせ部５、６の打ち合わせ代の無段階な変化に対応した接続ができるので、動物の胴体部１の大小に合わせた長さ調節にも便利である。そのために、打ち合わせの内側になる打ち合わせ部６の外面に設ける例えばパイル面１１ａを先端から基部側に向けた長手方向広域に位置させ、外側になる打ち合わせ部５の内面に設ける例えばフック面１１ｂを打ち合わせ部先端部側に限って配置してある。これによって、打ち合わせ部５、６の打ち合わせ代が小さくパイル面１１ａが露出しても、他の動物の毛など他と引っ掛かり合うことがない。しかし、これに限られることはなく、スライドファスナー、尾錠、ボタン、ホックの少なくとも１つを採用することができ、いずれの場合も、打ち合わせ部５、６の打ち合わせ代を調整して接続できるようにするのが好適であり、それらを複数の打ち合わせ位置に対応して設ければよい。
【００３２】
アンカー紐材１５は、図示例のように組紐組織や各種編組織の平坦なベルト材とすることにより、胴衣体９に沿いやすく馴染みやすいので、外観上目立たないし、動物に異物感を与えない上、ベルト幅によって、連結環からの負荷の受け止め域を、動物の前後方向にもベルト幅に応じて拡張させられる。しかも、連結具１３からの負荷や引き回し力を受けても伸び少なく全長に分散して胴衣体９に伝達しやすく、動物に局部的な外力が及ぶのを防止することができる。
【００３３】
また、アンカー紐材１５は、図５、図７に示すように胴衣体９の表生地１２と裏生地１７との間に位置させているので、アンカー紐材１５が表側に加え、裏側からも外見されないし、動物への局部的な直の接触を避けて違和感を与えたり毛傷みを生じさせ難い利点がある。しかも、裏生地１７は網状の織生地または編生地の内側に不織布や発泡樹脂シートを貼り合わせた積層生地としてあり、胴衣体９の動物への接触をさらに和らげ、かつ通気性のよいものとなる。
【００３４】
また、胴衣体９のスリット状または穴状の足逃がし部７または８の周縁７ａ、７ａ部または８ａ、８ａ部は、アンカー紐材１５の端部の胴衣体９への止着１４を兼ねた縫製にてパイピング１８を施してあり、胴衣体９のスリット状または穴状の足逃がし部７または８の周縁７ａ、７ａ部または８ａ、８ａ部を縁処理して装飾、保護するのと同時に、アンカー紐材１５両端部と胴衣体９の両周縁７ａ、７ａ部または８ａ、８ａ部との止着強度を、特別な止着作業なしに高められる。
【００３５】
さらに、胴衣体９は図示するように、アンカー紐材１５の前記窓１２ａまわりの止着部１４の左右両側に端部を重ねて胴衣体９にアンカー紐材１５と共に縫製により止着１９し、動物の首に対応してその前部に回り込む左右の首輪材対２１、２２を有し、これら首輪材対２１、２２に、一方に長さ調節具２３、双方の先端を着脱できるように崩吉する連結具２４を有したものとしている。これにより、図１に示すような動物への着せ付け状態で、アンカー紐材１５の前記窓１２ａまわりの止着部１４の左右両側に端部を重ねて胴衣体９に止着１９した首輪材対２１、２２を、動物の首に対応してその前部に回り込ませて、双方の先端を連結具２４で連結して首輪風装飾とすることができるし、胴衣体９の接続具１１による打ち合わせ状態への止めが万が一外れても、首輪材対２１、２２はアンカー紐材１５と繋がって動物の首まわりに閉ループをなしているので、引き紐類１６が動物から外れるのを防止することができる。また、首輪材対２１、２２は途中の長さ調節具２３により長さ調節することで、動物の首への緩め度を調節することができる。さらに、首輪材対２１、２２は胴衣体９の引き出し口２５の近倒立置でも縫製により止着２６しであり、引き出し口２５が首輪材対２１、２２の幅より大きくてもふら付かない。また、連結具２４は首輪材対２１、２２の各先端に設けられて弾性的に着脱できる雌雄連結具２４ａ、２４ｂとし、雄連結具２４ｂを持った首輪材２１は対応する周縁７ａから雄連結具２４ｂが飛び出す長さを有し、雌連結具２４ａを持った首輪材２２は引き出し口２５の近傍に雌連結具２４ａが引き出されている程度の長さとしてある。これにより、首輪材対２１、２２は動物の首まわりの首輪材２２側に片寄った位置に連結部が位置するので、首輪材２１、２２の連結、連結解除の作業が動物の首部の片側から容易に行えるようになる。長さ調節部２３は長い側の首輪材２１を長手方向前後の窓を潜らせて移動でき、首輪材２１の雄連結具２４ｂを経由した折り返し端を前後の窓を仕切る仕切りバーに連結して、前記移動により折り返し部の長さを調節する通常のものである。長い側の首輪材２１はその途中を胴衣体９の表面に設けたベルト通し２７に通して、首輪材２２との連結状態、非連結状態を問わずふらつくのを防止している。
【００３６】
また、首輪材対２１、２２は、アンカー紐材１５との重なり部ら先端側の途中まで胴衣体９内に位置し、途中から先端にかけて表生地１２の引き出し口２５から引き出され露出するようにしている。これにより、首輪材対２１、２２の連結用のアンカー紐材１５との重なり部側を胴衣体９内に隠して、不自然な連結用のアンカー紐材１５との接続構造が外観されないようにすることができ、体裁のよいものとなる。
【００３７】
胴衣体９は、さらに、図１〜図５の例、図６、図７の例、図９、図１０の例に示すように、アンカー紐材１５の長手方向に沿って胴衣体９の少なくともスリット状または穴状の足逃がし部７または８の対向し合う周縁７ａ、７ａ部間または８ａ、８ａ部間に延びてアンカー紐材１５と共に胴衣体９に止着１４された、連結用のアンカー紐材１５よりも幅広な左右方向心材３１、またはおよび、図９、図１０の例に示すように、連結用のアンカー紐材１５の中央部下から胴衣体９の前端縁９ａに達して連結用のアンカー紐材１５と共に前記窓まわりに止着１４されかつ胴衣体９の前端縁９ａに止着１４された前後方向心材３３を設けたものとしている。
【００３８】
このような左右方向心材３１によっては、連結具１３からアンカー紐材１５が受ける負荷や引き回し力を左右方向心材３１と分担し合い、かつ胴衣体９の背中側の前後方向より広域に、より無理なく伝達でき、前後方向心材３３によっては、連結具１３から胴衣体９の後方側に及ぶことの多い引き紐類１６との間の負荷や引き回し力によって、胴衣体９がアンカー紐材１５と前端縁９ａとの間で伸びて疲労したり、動物への動き規制が甘くなるのを防止することができる。従って、図９、図１０に示す例のように左右方向心材３１と前後方向心材３３の双方を備えるのが好適であり、これらがアンカー紐材１５と重なって胴衣体９に止着１４などされるので止着部の強度も向上する。なお、左右方向心材３１はアンカー紐材１５の後部近傍位置から、胴衣体９の前端縁９ａおよび前記左右の引き出し口２５までの範囲に設けることができるが、引き出し口２５を経て端縁５ａ、６ａまで設けることで、連結具１３からの負荷や引き回し力が動物の首まわりへも安定して及び、かつ、胴衣体９の後方への位置ずれや伸びを抑えやすくなる。このような左右方向心材３１と前後方向心材３３のいずれか一方を設けるだけでも有効である。前後方向心材３３もアンカー紐材１５同様にベルト材として長手方向、幅方向に同様の特徴を発揮できるようにしている。
【００３９】
なお、左右方向心材３１は後縁がアンカー紐材１５の後部近傍に位置し、前縁は胴衣体９の前端縁９ａと左右の引き出し口２５がなすラインに沿って位置するようにしてある。これにより、胴衣体９におけるアンカー紐材１５の前部側でのアンカー効果を高めるのに併せ、胴衣体９自体のアンカー紐材１５からの負荷に対する局部的な力の集中防止性や耐久性も向上する。
【００４０】
さらに具体的には、図１〜図５に示す例、図６、図７に示す例、図８に示す例、図９、図１０に示す例では、図５、図７、図１０に示すように、アンカー紐材１５はベルト材１５ａ、１５ａを２枚重ねにして基部環１３ａの下辺軸１３ａ１を抱き込んで、その両側を縫製にて止着３４する簡単な構造で、Ａ方向に起伏できるようにしている。
【００４１】
図１〜図５に示す例での窓１２ａは、表生地１２にスリットを入れてできる両縁１２ｂ、１２ｂを裏側に折り返すことで閉口させ、基部環１３ａを表生地１２外に突出させているが、窓１２ａの両側と連結用のアンカー紐材１５との間に挟み込んで互いを裏生地１７から独立して止着４１した当て布４２によって狭め、アンカー紐材１５が窓１２ａから露出しにくく体裁のよいものとしている。これに加え、当て布４２の存在は、連結用のアンカー紐材１５の連結具１３付近にて窓１２ａまわりで表生地１２に与える負荷を軽減することにもなる。
【００４２】
図６、図７に示す例での窓１２ａは、窓１２ａ内側への当て布に代えて不織布や発泡樹脂シート４３を挟み込んでアンカー紐材１５を含む互いを裏生地１７から独立して止着４１し、連結用のアンカー紐材１５の連結具１３付近にて窓１２ａまわりで表生地１２に与える負荷を軽減している。
【００４３】
図９〜図１１に示す例での窓１２ａは、表生地１２の切り抜きや肉抜きにより形成し、両側の窓縁を２つ折り当て布４４によって覆い、アンカー紐材１５を含む互いを裏生地１７から独立して止着４１し、窓１２ａを先の例のように挟めて連結用のアンカー紐材１５が露出し難く体裁の良いものとし、かつ、アンカー紐材１５の連結具１３付近にて窓１２ａまわりで表生地１２に与える負荷を軽減している。
【００４４】
さらに、図１〜図５に示す例の左右方向心材３１は、図５に示すように裏生地１７の内側、特にアンカー紐材１５の下側に位置するように設けて、アンカー紐材１５や首輪材対２１、２２が動物に局部的な違和感を与えるのを防止している。また、図6、図7に示す例、図9〜図11に示す例の左右方向心材31は、いずれも、それぞれの例の図7、図11に示すように、表生地12の内側、特にアンカー紐材15の上側に位置するようにしてあり、アンカー紐材15や首輪材対21、22から表生地12側にかかる負荷を軽減するようにしている。併せ、裏生地17の内側にもその全域または左右方向心材31に対応する範囲の当て生地45を設けて、アンカー紐材15や首輪対21、22が動物に局部的な違和感を与えるのを防止している。
【００４５】
本実施の形態の動物用の胴衣は、さらに、動物の胴体部の左右の前足2、3の前後に亘る胴体部まわりに、止め具11と前開き部から前足の付け根対応部にいたるスリット状の左右足逃がし部7とを有した前開き形態で着せ付ける胴衣体9とは別の、前足2、3を付け根対応部まで通す穴状の左右足逃がし部8を有した被り形態で着せ付ける胴衣体9を採用することもできる。しかも、アンカー紐材15は、胴衣体9の動物の背中との対応域の少なくとも表生地12の裏側に、前記対応域の中央部から少なくともほぼ対称な左右方向成分を持って配した一条または複数条のものとして設けることができる。アンカー紐材15は、既述した図9に示す例の場合を含め、その数を増やすほど連結具13に集中して働く負荷を胴衣体9の背中対応域のより広域により均等に拡散して伝達し、胴部の胴部により優しく働かせられる利点がある。この意味で、被り形態の胴衣体9とするときは、着せやすさのための編み生地などの伸縮性のある生地が一部または全体に採用されることが多いことに対応して、配置するアンカー紐材15の数を増やし、また、心材と併用すのが好都合である。もっとも、前開き形態の胴衣体9にもその一部や全体に伸縮生地は採用でき、この場合もアンカー紐材15の数を増大し、また、心材と併用するのが好適である。
【００４６】
本実施の形態の胴衣100としては、図12に示す例のように、前開き形態スリット状の左右足逃がし部7とを利用して、動物前足2、3の前後に亘る胴部まわりに着せ付ける胴衣体９において、少なくとも図示するＸ型にクロスして左右対称に配しそれぞれ両端側を止着され、クロス部に連結具13を接続された2つのアンカー紐材51、52を有し、この2つのアンカー紐材51、52の動物の首に対応してその前部に回り込む左右の首輪材対を有し、これら首輪材対は、一方に長さ調節具23、双方の先端を着脱できるように連結する連結具24（24a、24b）を有したものとすることができる。
【００４７】
さらに具体的には、動物への着せ付け状態で、Ｘ型に配された2つのアンカー紐材51、52を配して、それらのクロス部55まわりとその近くを胴衣体9に止着50し、それらの後端を胴衣体9の後縁にパイピング18と共に止着53し、前部側を胴衣体9の足逃がし部7の近傍、具体的には少し前側に止着54して設け、アンカー紐材51、52クロス部55に連結具13を接続して接続強度を高めている。さらに、アンカー紐材51、52双方のクロス部55から動物の首に対する側に延びた部分を、左右の首輪材対56、57としあり、これらを動物の首に対してその前部に回り込ませ、双方の先端を既述のものと同様な連結具24で連結して動物の首に対し若干緩めにして通常時は動物に負担をかけなくするなどした状態の首輪風装飾とすることができるようにし、胴衣体9の前開き部の止めが万が一外れても、首輪材対56、57はアンカー紐材51、52と繋がって動物の首まわりに閉ループをなしていることにより、引き紐類が動物から外れるのを防止することができる。また、首輪材対51は途中の長さ調節具23により長さ調節することで、動物の首への緩め度を万が一の場合の首輪機能を確保する上で調整することができる。
【産業上の利用可能性】
【００４８】
本発明は、胴衣体を胴部に着せ付けると、連結具に連結した引き紐類からの負荷や引き回し力を、動物の負担をかけ難い前足の付け根間背中域の左右方向中央位置から、胴体部の側部対応部から腹部対応側に伝達して、広い面域から動物に無理なく働かせて、動きを優しく制限することができる。
【符号の説明】
【００４９】
１  胴体部
２、３前足
５、６打ち合わせ部
７  スリット状の足逃がし部
８  穴状の足逃がし部
９  胴衣体
９ａ先端縁
１１止め具
１１ａパイル面
１１ｂフック面
１２表生地
１２ａ窓
１３、２４連結具
１３ａ基部環
１３ｂ連結環
１４、３２、４１、５３，５４止着
１５、５１、５２  アンカー紐材
１７  裏生地
２１、２２首輪材対
２５  引き出し口
３１  左右方向心材
３３  前後方向心材
【図１】
0005530706.tif 000002
【図２】
0005530706.tif 000003
【図３】
0005530706.tif 000004
【図４】
0005530706.tif 000005
【図５】
0005530706.tif 000006
【図６】
0005530706.tif 000007
【図７】
0005530706.tif 000008
【図８】
0005530706.tif 000009
【図９】
0005530706.tif 000010
【図１０】
0005530706.tif 000011
【図１１】
0005530706.tif 000012
【図１２】
0005530706.tif 000013